(57)【要約】【課題】不使用時の肩ベルトをシート内に収容可能なチャイルドシートを提供する。【解決手段】本発明のチャイルドシート１０は、乳幼児を乗せるシート本体１２と、前記シート本体１２上の前記乳幼児を拘束する肩ベルト２２と、前記肩ベルト２２を前記シート本体１２の背面部１６から起き上がらせて解放空間を形成する肩ベルト跳ね上げ部３０と、前記肩ベルト跳ね上げ部３０の一端に接続して前記肩ベルト跳ね上げ部３０を前記背面部１６から起き上がる状態と前記背面部１６に沿って倒れる状態に切り替える可動部４０と、を備えたことを特徴としている。【選択図】    図１
2019026147.tif 000002
【特許請求の範囲】
【請求項１】
乳幼児を乗せるシート本体と、
前記シート本体上の前記乳幼児を拘束する肩ベルトと、
前記肩ベルトを前記シート本体の背面部から起き上がらせて解放空間を形成する肩ベルト跳ね上げ部と、
前記肩ベルト跳ね上げ部の一端に接続して前記肩ベルト跳ね上げ部を前記背面部から起き上がる状態と前記背面部に沿って倒れる状態に切り替える可動部と、を備えたことを特徴とするチャイルドシート。
【請求項２】
前記背面部には、前記肩ベルト及び肩ベルト跳ね上げ部を収容する凹部を設けたことを特徴とする請求項１に記載のチャイルドシート。
【請求項３】
前記肩ベルト跳ね上げ部は、コイル状の金属線を用いた可撓性のあるケーブルであることを特徴とする請求項１又は２に記載のチャイルドシート。
【請求項４】
前記可動部は、
一対の前記肩ベルト跳ね上げ部をシャフトの両端に接続させて、回転軸を水平に配置して外周にスリッドを有する跳ね上げ保持部と、
前記肩ベルト跳ね上げ部の外周と先端の凸部が接触する操作レバーと、
前記跳ね上げ保持部の前記回転軸と直交する方向から前記回転軸に向けて前記操作レバーを付勢する弾性体と、
を備え、
前記肩ベルト跳ね上げ部は前記跳ね上げ保持部の軸回りを回転可能とし、前記肩ベルト跳ね上げ部が前記背面部から起き上がる状態のときに前記凸部と前記スリッドが嵌め合うことを特徴とする請求項１ないし３のいずれか１に記載のチャイルドシート。
【請求項５】
前記跳ね上げ保持部は、前記凸部が前記スリッドから外れたときに、前記肩ベルト跳ね上げ部の自重により回転して前記肩ベルト跳ね上げ部が前記凹部に収まることを特徴とする請求項４に記載のチャイルドシート。
【請求項６】
前記可動部は、
前記肩ベルト跳ね上げ部と一体的に形成し、前記肩ベルト跳ね上げ部との間に第１及び第２折り曲げ部を有する跳ね上げ保持部と、
前記跳ね上げ部を支持するホルダーと、
を備え、
前記肩ベルト跳ね上げ部は前記跳ね上げ保持部の軸回りを回転可能とし、前記肩ベルト跳ね上げ部が前記背面部から起き上がる状態のときに前記第１及び第２折り曲げ部の間が前記ホルダーに嵌ることを特徴とする請求項１ないし３のいずれか１に記載のチャイルドシート。
【請求項７】
前記可動部は、
前記肩ベルト跳ね上げ部の端部と接続する球軸と、
前記球軸を回転自在に支持する軸受と、
を備え、
前記肩ベルト跳ね上げ部は前記球軸を支点に回転可能とし、前記肩ベルト跳ね上げ部が前記背面部から起き上がる状態のときに前記球軸が前記ホルダーに固定されることを特徴とする請求項１ないし３のいずれか１に記載のチャイルドシート。
【発明の詳細な説明】
【技術分野】
【０００１】
本発明はシート本体に乳幼児（乳児（満１歳未満までの子供）および幼児（満１歳から小学校就学までの子供）を合わせた呼び名）を拘束する肩ベルトを備えたチャイルドシートに関する。
【背景技術】
【０００２】
乗車時の乳幼児の安全性を高めるためにチャイルドシートが利用されている。このチャイルドシートは、車両用シートに取り付けるシート本体と、乳幼児の肩を拘束する左右の肩ベルトと、乳幼児の腰を拘束する腰ベルトを備えている。肩ベルト及び腰ベルトはシート本体のバックルに係止することにより乳幼児を上部２点、下部３点の計５点で拘束している。留め具を備えた肩ベルトは、その重みで垂れ下がってしまうため、乳幼児を着席させる際に下敷きになってしまい取扱いが煩わしくなっている。
【０００３】
このため、特許文献１に開示のチャイルドシートは、押圧部をシート本体に当接した弾性反発によって、カバー本体をシート本体から押し離して着座空間から離脱させて解放空間を形成可能なシート保持構造を備えている。このような構成により肩ベルトを開放方向に保持できるため、乳幼児の着座前でも肩ベルトが垂れ下がることなく、容易にベルトで拘束することができる。
【先行技術文献】
【特許文献】
【０００４】
【特許文献１】特許第５２５８２０６号公報
【発明の概要】
【発明が解決しようとする課題】
【０００５】
乳幼児の成長と共に、シートベルトの使用形態が変化する。すなわち幼児を載せる場合には、車両のシートベルトを用いて拘束している。従って、幼児の場合、チャイルドシートにあらかじめ付属する肩ベルトは不要となる。
このとき幼児をシート本体に着座させると、肩ベルトは開放空間を形成する方向に付勢されているため、幼児の背中で反発して不快感を与えてしまう。また、肩ベルトは、幼児の下敷きとなり同様に不快感を与えてしまう。
【０００６】
そこで上記従来技術の問題点に鑑み、本発明は、不使用時の肩ベルトをシート内に収容可能なチャイルドシートを提供することを目的としている。また幼児のシートベルト着用時でも快適に着座できるチャイルドシートを提供することを目的としている。
【課題を解決するための手段】
【０００７】
上記課題を解決するための第１の手段として、本発明は、乳幼児を乗せるシート本体と、
前記シート本体上の前記乳幼児を拘束する肩ベルトと、
前記肩ベルトを前記シート本体の背面部から起き上がらせて解放空間を形成する肩ベルト跳ね上げ部と、
前記肩ベルト跳ね上げ部の一端に接続して前記肩ベルト跳ね上げ部を前記背面部から起き上がる状態と前記背面部に沿って倒れる状態に切り替える可動部と、を備えたことを特徴とするチャイルドシートを提供することにある。
上記第１の手段によれば、肩ベルトを使用せずシートベルトを着用している幼児に肩ベルト跳ね上げ部が接触することなく、不快感を与えることがない。
【０００８】
上記課題を解決するための第２の手段として、本発明は、前記第１の手段において、前記背面部には、前記肩ベルト及び肩ベルト跳ね上げ部を収容する凹部を設けたことを特徴とするチャイルドシートを提供することにある。
上記第２の手段によれば、シートベルト着用時に不使用の肩ベルト及び肩ベルト跳ね上げ部を背面部に収容することができる。
【０００９】
上記課題を解決するための第３の手段として、本発明は、前記第１又は第２の手段において、前記肩ベルト跳ね上げ部は、コイル状の金属線を用いた可撓性のあるケーブルであることを特徴とするチャイルドシートを提供することにある。
上記第３の手段によれば、容易に肩ベルトの解放空間を形成することができる。またコイル状の金属線の適度な弾性力により跳ね上げた状態で乳幼児の肩に接触しても肩に沿って容易に変形して不快感を与えることがない。
【００１０】
上記課題を解決するための第４の手段として、本発明は、前記第１ないし３のいずれか１の手段において、前記可動部は、
一対の前記肩ベルト跳ね上げ部をシャフトの両端に接続させて、回転軸を水平に配置して外周にスリッドを有する跳ね上げ保持部と、
前記肩ベルト跳ね上げ部の外周と先端の凸部が接触する操作レバーと、
前記跳ね上げ保持部の前記回転軸と直交する方向から前記回転軸に向けて前記操作レバーを付勢する弾性体と、
を備え、
前記肩ベルト跳ね上げ部は前記跳ね上げ保持部の軸回りを回転可能とし、前記肩ベルト跳ね上げ部が前記背面から起き上がる状態のときに前記凸部と前記スリッドが嵌め合うことを特徴とするチャイルドシートを提供することにある。
上記第４の手段によれば、肩ベルト跳ね上げ部を跳ね上げた状態で固定できる。また肩ベルトを使用せずシートベルトを着用している幼児に肩ベルト跳ね上げ部が接触することなく、不快感を与えることがない。
【００１１】
上記課題を解決するための第５の手段として、本発明は、第４の手段において、前記跳ね上げ保持部は、前記操作レバーの先端が前記スリッドから外れたときに、前記肩ベルト跳ね上げ部の自重により回転して前記肩ベルト跳ね上げ部が前記凹部に収まることを特徴とするチャイルドシートを提供することにある。
上記第５の手段によれば、操作レバーの１動作で肩ベルト跳ね上げ部の跳ね上げを解除して凹部に収容することができる。シートベルト着用時の幼児に肩ベルト跳ね上げ部が接触することなく不快感を与えることがない。
【００１２】
上記課題を解決するための第６の手段として、本発明は、前記第１ないし第３のいずれか１の手段において、前記可動部は、
前記肩ベルト跳ね上げ部と一体的に形成し、前記肩ベルト跳ね上げ部との間に第１及び第２折り曲げ部を有する跳ね上げ保持部と、
前記跳ね上げ部を支持するホルダーと、
を備え、
前記肩ベルト跳ね上げ部は前記跳ね上げ保持部の軸回りを回転可能とし、前記肩ベルト跳ね上げ部が前記背面部から起き上がる状態のときに前記第１及び第２折り曲げ部の間が前記ホルダーに嵌ることを特徴とするチャイルドシートを提供することにある。
上記第６の手段によれば、肩ベルト跳ね上げ部を跳ね上げた状態で固定できる。また肩ベルトを使用せずシートベルトを着用している幼児に肩ベルト跳ね上げ部が接触することなく、不快感を与えることがない。
【００１３】
上記課題を解決するための第７の手段として、本発明は、前記第１ないし第３のいずれか１の手段において、前記可動部は、
前記肩ベルト跳ね上げ部の端部と接続する球軸と、
前記球軸を回転自在に支持する軸受と、
を備え、
前記肩ベルト跳ね上げ部は前記球軸を支点に回転可能とし、前記肩ベルト跳ね上げ部が前記背面部から起き上がる状態のときに前記球軸が前記ホルダーに固定されることを特徴とするチャイルドシートを提供することにある。
上記第７の手段によれば、肩ベルト跳ね上げ部を跳ね上げた状態で固定できる。また肩ベルトを使用せずシートベルトを着用している幼児に肩ベルト跳ね上げ部が接触することなく、不快感を与えることがない。
【発明の効果】
【００１４】
本発明によれば、幼児を着座させる際に不要となる肩ベルト及び肩ベルト跳ね上げ部を収容することができるため、幼児に接触して不快感を与えることがない。また、収容した肩ベルト及び肩ベルト跳ね上げ部は、上記可動部の操作によって、前記肩ベルト跳ね上げ部を前記背面部から起き上がった状態に容易に切り替えることができるため、使い勝手が良い。
【図面の簡単な説明】
【００１５】
【図１】本発明のチャイルドシートの斜視図である。
【図２】肩ベルト跳ね上げ部及び可動部の説明図である。
【図３】スリッドに凸部が嵌め合う可動部の説明図である。
【図４】スリッドから凸部が外れて肩ベルト跳ね上げ部が凹部に収容される説明図である。
【図５】肩ベルト跳ね上げ部及び可動部の変形例１の正面図である。
【図６】肩ベルト跳ね上げ部及び可動部の変形例２の正面図である。
【発明を実施するための形態】
【００１６】
本発明のチャイルドシートの実施形態を添付の図面を参照しながら、以下詳細に説明する。
【００１７】
［チャイルドシート１０］
図１は本発明のチャイルドシートの斜視図である。図２は肩ベルト跳ね上げ部及び可動部の説明図である。本発明のチャイルドシート１０は、乳幼児が着座するシート本体１２と、乳幼児を拘束する肩ベルト２２及び腰ベルト１８と、肩ベルト２２の解放空間を形成する肩ベルト跳ね上げ部３０と、肩ベルト跳ね上げ部３０を可動させる可動部４０を主な基本構成としている。
【００１８】
［シート本体１２］
シート本体１２は、座面部１４及び背面部１６を備えている。座面部１４は腰ベルト１８とバックル２０を設けている。背面部１６は肩ベルト２２と、背面可動部２４と、凹部２６と、後述する肩ベルト跳ね上げ部３０と、可動部４０と、を設けている。
背面可動部２４は乳児時期、幼児時期など、乳幼児の大きさによって、背面の高さ位置を調整可能としている。
凹部２６は、背面部１６の表面から凹状に形成して肩ベルト２２及び肩ベルト跳ね上げ部３０を収納可能としている。
【００１９】
［肩ベルト跳ね上げ部３０］
肩ベルト跳ね上げ部３０は、左右の肩ベルト２２の下面に接触して解放空間を形成可能な部材である。本発明の肩ベルト跳ね上げ部３０は、コイル状の金属線を用いた可撓性のあるケーブルであり、所定の柔軟性を有している。この他、平板状の金属線を用いた可撓性のある（一例としてポリエチレン被膜など）ケーブルを適用することもできる。なお、本発明のケーブルは金属線に限定されず、樹脂等の既存の材料を用いても良い。
【００２０】
［可動部４０］
図３はスリッドに凸部が嵌め合う可動部の説明図である。図４はスリッドから凸部が外れて肩ベルト跳ね上げ部が凹部に収容される説明図である。可動部４０は、肩ベルト跳ね上げ部３０の端部と接続する跳ね上げ保持部４２と、跳ね上げ保持部４２と直交する方向に接触する操作レバー４４と、操作レバー４４を跳ね上げ保持部４２へ向けて付勢する弾性体４６を備えている。
【００２１】
跳ね上げ保持部４２は、背面部１６で軸を水平に配置して、両端が軸受で軸支されており、軸回りを回転自在なシャフトである。跳ね上げ保持部４２は、外周面の両端側に肩ベルト跳ね上げ部３０の一端が接続して他端を軸と交差する方向に延出させている。また跳ね上げ保持部４２は外周面の中央にスリッド４２１を設けている。このスリッド４２１は後述する操作レバー４４の凸部４４１の断面矩形の角部が嵌まるように中心角９０度の扇形を切り欠いた凹形に形成されている（図３参照）。
【００２２】
操作レバー４４は、跳ね上げ保持部４２と直交する方向で進退移動する部材である。操作レバー４４の上部先端には前述のスリッド４２１と嵌り合う断面矩形の凸部４４１を設けている。
【００２３】
弾性体４６は、一端をシート本体１２に固定し、他端を跳ね上げ保持部４２に固定したコイルばねである。このような弾性体４６は、操作レバー４４を跳ね上げ保持部４２の軸心と直交する方向から軸心に向けて付勢している。
【００２４】
［作用］
上記構成による本発明のチャイルドシート１０の作用について、以下説明する。
乳幼児のうち特に乳児（幼児の場合もある）をシート本体１２に載せる場合、肩ベルト２２及び腰ベルト１８を用いて拘束する。事前に肩ベルト跳ね上げ部３０を背面部１６から跳ね上げると、跳ね上げ保持部４２が軸回りを回転する。このとき操作レバー４４は跳ね上げ保持部４２の外周面に当接している。肩ベルト跳ね上げ部３０が所定位置まで跳ね上がると、跳ね上げ保持部４２の外周に設けたスリッド４２１に操作レバー４４の先端の凸部４４１が嵌め合わさる（図３参照）。これにより肩ベルト跳ね上げ部３０がロックされて、シート本体１２上で肩ベルト２２の解放空間が形成された状態で維持される。この状態で乳児をシート本体１２に載せて、肩ベルト２２及び腰ベルト１８の係止部をバックル２０に固定して容易に拘束することができる。肩ベルト２２の内側に配置されている肩ベルト跳ね上げ部３０は、コイル状の金属線を用いた可撓性のあるケーブルであり、乳児の肩に倣って柔軟に変形して、乳児に不快感を与えることがない。
【００２５】
一方、幼児をシート本体１２に載せる場合、車両用のシートベルトを用いて拘束する。このとき、シート本体１２にあらかじめ付帯している肩ベルト２２及び腰ベルト１８は不要となる。そこで操作レバー４４を弾性体４６の付勢する方向と反対方向へ押し下げると、肩ベルト跳ね上げ部３０の自重及び肩ベルト２２の重さによって跳ね上げ状態から背面部１６に沿って倒れる状態となる。肩ベルト跳ね上げ部３０の倒れ込みと共に、肩ベルト２２及び肩ベルト跳ね上げ部３０を凹部２６に収容できる。そして操作レバー４４から手を放すと、弾性体４６により再度跳ね上げ保持部４２の外周に向けて付勢する力が作用し、凸部４４１が跳ね上げ保持部４２の外周面に接触する。再度肩ベルト跳ね上げ部３０を跳ね上げる状態にする場合には、肩ベルト跳ね上げ部３０を上方へ持ち上げると、スリッド４２１と凸部４４１が嵌り合う位置で固定できる。
【００２６】
このような本発明のチャイルドシート１０によれば、肩ベルト跳ね上げ部３０の回転動作により、跳ね上げ状態と倒れ込み状態のいずれかの状態に容易に切り替えることができる。肩ベルト跳ね上げ部３０の跳ね上げ状態のときは操作レバー４４により跳ね上げ状態がロックされて維持できる。また倒れ込み状態のときは凹部２６に肩ベルト２２及び肩ベルト跳ね上げ部３０を収容することができる。
【００２７】
［変形例１］
図５は、肩ベルト跳ね上げ部及び可動部の変形例１の正面図である。変形例１の可動部４０Ａは、平面視でコ字型のホルダー４８と、跳ね上げ保持部４２Ａからなる。跳ね上げ保持部４２Ａは肩ベルト跳ね上げ部３０Ａと一体的に形成されており（材質も同じ）、跳ね上げ保持部４２Ａ側からほぼ直角（僅かに鈍角）に折り曲げた第１折り曲げ部４２２と、鈍角に折り曲げた第２折り曲げ部４２３を有している。跳ね上げ保持部４２Ａは軸心を水平に配置し軸回りを回転可能なシャフト状に形成し、ホルダー４８に回転自在に軸支されている。
このような構成の変形例１の肩ベルト跳ね上げ部３０Ａ及び可動部４０Ａは、肩ベルト跳ね上げ部３０Ａが跳ね上げ状態のとき、第１及び第２折り曲げ部４２２，４２３の間がホルダー４８に向かって付勢しておりホルダー４８に嵌って跳ね上げ状態を維持できる。そして肩ベルト跳ね上げ部３０Ａを凹部（不図示）に収容する場合には、まず、一対の肩ベルト跳ね上げ部３０Ａが互いに接近させて、ホルダー４８から解除する。次に可動部４０Ａの跳ね上げ保持部４２Ａの軸回り沿って回転させて、肩ベルト跳ね上げ部３０Ａを下方に移動させてから解放する。これにより、肩ベルト跳ね上げ部３０Ａを凹部（不図示）に収めることができる。
なお肩ベルト跳ね上げ部３０Ａを跳ね上げ状態にする場合には、図５の逆の動作を行う。
このような変形例１のチャイルドシートによれば、肩ベルト跳ね上げ部３０Ａの回転動作により、跳ね上げ状態と倒れ込み状態のいずれかの状態に容易に切り替えることができる。
【００２８】
［変形例２］
図６は、肩ベルト跳ね上げ部及び可動部の変形例２の正面図である。変形例２の可動部４０Ｂは球軸４９及び軸受５０を有している。球軸４９は肩ベルト跳ね上げ部３０Ｂの端部と接続している。球軸４９は軸受５０に回転自在に軸支している。
このような構成の変形例２の肩ベルト跳ね上げ部３０Ｂ及び可動部４０Ｂは、肩ベルト跳ね上げ部３０Ｂを任意の位置で球軸４９が軸受５０に固定されて跳ね上げ状態に維持できる。そして肩ベルト跳ね上げ部３０Ｂを凹部（不図示）に収容する場合には、まず、一対の肩ベルト跳ね上げ部３０Ｂが互いに接近するように回転させて、肩ベルト跳ね上げ部３０Ｂを下方に移動させて凹部（不図示）に収めることができる。
このような変形例２のチャイルドシートによれば、肩ベルト跳ね上げ部３０Ｂの回転動作により、跳ね上げ状態と倒れ込み状態のいずれかの状態に容易に切り替えることができる。
【産業上の利用可能性】
【００２９】
本発明は、特に乳幼児を対象としたチャイルドシートなどの車両関連分野において産業上の利用可能性を有する。
【符号の説明】
【００３０】
１０………チャイルドシート、１２………シート本体、１４………座面部、１６………背面部、１８………腰ベルト、２０………バックル、２２………肩ベルト、２４………背面可動部、２６………凹部、
３０，３０Ａ，３０Ｂ………肩ベルト跳ね上げ部、
４０，４０Ａ，４０Ｂ………可動部、４２………跳ね上げ保持部、４２１………スリッド、４２２………第１折り曲げ部、４２３………第２折り曲げ部、４４………操作レバー、４４１………凸部、４６………弾性体、４８………ホルダー、４９………球軸、５０………軸受。
【図１】
2019026147.tif 000003
【図２】
2019026147.tif 000004
【図３】
2019026147.tif 000005
【図４】
2019026147.tif 000006
【図５】
2019026147.tif 000007
【図６】
2019026147.tif 000008